(57)【要約】【課題】無理抜き操作時におけるガイドレバー及びラッチ本体の変形を抑えることが可能なラッチ装置を提供する。【解決手段】ラッチ装置１１は、ストライカＳが出入りするハウジング１２と、ハウジング１２に押し込まれることでロック解除位置からロック位置に移動してストライカＳをロックするラッチ本体１５と、ラッチ本体１５をロック解除位置へ付勢する付勢ばね２４と、ラッチ本体１５の第１カム溝４２に案内され、第１ハートカム４１に係合することでラッチ本体１５をロック位置に保持するガイドレバー２６とを有する。ラッチ本体１５は、ハウジング１２の上壁部２０ａから遠ざかる方向へ変位可能に弾性支持された第１カム形成部４０を有し、無理抜き操作時に、第１カム形成部４０が上壁部２０ａから遠ざかる方向へ変位してガイドレバー２６と第１ハートカム４１との係合を解除する。【選択図】図１
2013194412.tif 000002
【特許請求の範囲】
【請求項１】
ストライカが出入りする開口部が一端部に形成された筒状のハウジングと、
前記ハウジング内に該ハウジングの軸方向に沿って移動可能に支持され、前記ハウジングの他端部に向けて押し込まれることでロック解除位置からロック位置に移動して前記ストライカをロックするラッチ本体と、
前記ラッチ本体を前記ロック解除位置へ付勢する付勢ばねと、
前記ラッチ本体に形成されたカム溝に案内されるトレース部を有し、該カム溝に囲まれるハートカムに前記トレース部が係合することで前記ラッチ本体を前記ロック位置に係止させるガイドレバーとを有するラッチ装置において、
前記ラッチ本体が、前記カム溝が形成されたカム形成部と、前記ハウジングの周壁であって前記ハートカムの頂面に対向する対向壁から遠ざかる方向へ変位可能に前記カム形成部を弾性支持する弾性支持部とを有し、
前記ロック位置にある前記ラッチ本体から前記ストライカが引き抜かれる無理抜き操作時に、前記カム形成部が前記対向壁から遠ざかる方向へ変位して前記ハートカムと前記トレース部との係合が解除される
ことを特徴とするラッチ装置。
【請求項２】
前記ハートカムは、前記トレース部が係合することで前記ラッチ本体を前記ロック位置に係止させる係止部を有し、
前記トレース部及び前記係止部の少なくとも一方が、前記ロック位置にある前記ラッチ本体から前記ストライカが引き抜かれる力を、前記対向壁から遠ざかる方向へ前記カム形成部を押圧する力に変換する傾斜部を有する
請求項１に記載のラッチ装置。
【請求項３】
前記ハートカムの頂面のうちで前記無理抜き操作時に前記トレース部が摺動する部位が、前記ハウジングの他端部側の部位ほど前記カム溝の底面に近づくように傾斜している
請求項１または２に記載のラッチ装置。
【請求項４】
前記弾性支持部は、
前記無理抜き操作時に弾性変形して前記カム形成部を前記対向壁から遠ざかる方向に回動させるヒンジ部を有する
請求項１〜３のいずれか一項に記載のラッチ装置。
【請求項５】
前記付勢ばねを第１の付勢ばねとするとき、
前記弾性支持部が、
前記カム形成部を前記対向壁に向けて付勢する第２の付勢ばねと、
前記第２の付勢ばねの付勢力による前記カム形成部の変位を規制する規制部とを有する
請求項１〜４のいずれか一項に記載のラッチ装置。
【発明の詳細な説明】
【技術分野】
【０００１】
本発明は、ストライカがハウジング内に押し込まれることにより、該ストライカをロックするラッチ装置に関する。
【背景技術】
【０００２】
従来から、例えば、固定体に対して移動可能な扉等の移動体を該固定体にロックするために、固定体及び移動体の一方には、他方に固定されたストライカをロックするラッチ装置が配設される。こうしたラッチ装置として、特許文献１には、ストライカをハウジングに押し込むことによってロック状態となり、ロック状態にあるストライカを再び押し込むことによってロック解除状態となる、いわゆるプッシュ・プッシュ式のラッチ装置が開示されている。
【０００３】
上記ラッチ装置では、ストライカが出し入れされる開口部を一端部に有する筒状のハウジングに、ハウジングの軸方向に沿ってハウジング内を移動可能なラッチ本体が配設されている。ラッチ本体は、ハウジング内に配設された付勢ばねによってハウジングの開口部に向けて付勢されており、ハウジングに押し込まれるストライカとともにハウジング内へ押し込まれる。
【０００４】
また、ラッチ本体には、ハウジングに押し込まれることによってハウジング内に収容される一対のアームが形成されている。この一対のアームは、ラッチ本体がハウジングに押し込まれる際に、ハウジングの内側面に当接して互いの先端部が近づくように回転することでストライカに係合する。
【０００５】
また、ラッチ本体には、ハウジング内に配設される部位に、ハートカムを囲むようにカム溝が形成されている。このカム溝には、ハウジングの他端部に揺動可能に取り付けられたガイドレバーのトレース部が挿入される。ガイドレバーのトレース部は、ラッチ本体の移動にともないカム溝に案内され、ラッチ本体がハウジングに押し込まれた際にハートカムの係止部に係合する。そして、このガイドレバーとハートカムとの係合によって、ラッチ本体は、付勢ばねの付勢力による移動が規制され、一対のアームとストライカとが係合するロック位置に保持される。
【先行技術文献】
【特許文献】
【０００６】
【特許文献１】特許第３１２６９９２号公報
【発明の概要】
【発明が解決しようとする課題】
【０００７】
ところで、ロック位置にあるラッチ本体からストライカを無理矢理引き抜こうする無理抜き操作が行なわれると、ガイドレバーとハートカムとの係合部分に大きな荷重が作用することになる。そのため、ストライカの無理抜き操作がなされた場合には、ガイドレバーやハートカムが変形してしまうばかりか破損してしまう虞もある。
【０００８】
本開示の技術は、無理抜き操作時におけるガイドレバー及びラッチ本体の変形を抑えることが可能なラッチ装置を提供することを目的とする。
【課題を解決するための手段】
【０００９】
本開示におけるラッチ装置の態様の一つは、ストライカが出入りする開口部が一端部に形成された筒状のハウジングと、前記ハウジング内に該ハウジングの軸方向に沿って移動可能に支持され、前記ハウジングの他端部に向けて押し込まれることでロック解除位置からロック位置に移動して前記ストライカをロックするラッチ本体と、前記ラッチ本体を前記ロック解除位置へ付勢する付勢ばねと、前記ラッチ本体に形成されたカム溝に案内されるトレース部を有し、該カム溝に囲まれるハートカムに前記トレース部が係合することで前記ラッチ本体を前記ロック位置に係止させるガイドレバーとを有するラッチ装置において、前記ラッチ本体が、前記カム溝が形成されたカム形成部と、前記ハウジングの周壁であって前記ハートカムの頂面に対向する対向壁から遠ざかる方向へ変位可能に前記カム形成部を弾性支持する弾性支持部とを有し、前記ロック位置にある前記ラッチ本体から前記ストライカが引き抜かれる無理抜き操作時に、前記カム形成部が前記対向壁から遠ざかる方向へ変位して前記ハートカムと前記トレース部との係合が解除される。
【００１０】
本開示におけるラッチ装置の態様の一つによれば、カム形成部は、無理抜き操作時にハウジングの対向壁から遠ざかるように変位する。こうしたカム形成部の変位によって、ガイドレバーのトレース部がハートカムの頂面に乗り上げることでトレース部とハートカムとの係合が解除される。そして、ラッチ本体は、ロック解除位置に戻る際、ガイドレバーのトレース部をハートカムの頂面を摺動させながら移動する。この移動の際にも、カム形成部は、ハートカムの頂面の形状に応じて変位しながら移動する。その結果、トレース部及びカム形成部に作用する荷重が軽減されることから、無理抜き操作時におけるガイドレバー及びラッチ本体の変形を抑えることができる。
【００１１】
本開示におけるラッチ装置の態様の一つにおいて、前記ハートカムは、前記トレース部が係合することで前記ラッチ本体を前記ロック位置に係止させる係止部を有し、前記トレース部及び前記係止部の少なくとも一方が、前記ロック位置にある前記ラッチ本体から前記ストライカが引き抜かれる力を、前記対向壁から遠ざかる方向へ前記カム形成部を押圧する力に変換する傾斜部を有する。
【００１２】
本開示におけるラッチ装置の態様の一つによれば、ロック位置にあるラッチ本体からストライカを引き抜く力がカム形成部を押圧する力に変換されることで、カム形成部が対向壁から遠ざかる方向に変位しやすくなる。そのため、無理抜き操作時にトレース部と係止部との係合が解除されやすくなることで、無理抜きに必要とされる力を小さくすることができる。その結果、無理抜き操作時にトレース部及びカム形成部に作用する荷重が小さくなることから、ガイドレバー及びラッチ本体の変形をさらに抑えることができる。
【００１３】
本開示におけるラッチ装置の態様の一つは、前記ハートカムの頂面のうちで前記無理抜き操作時に前記トレース部が摺動する部位が、前記ハウジングの他端部側の部位ほど前記カム溝の底面に近づくように傾斜している。
【００１４】
無理抜き操作によってハートカムとの係合が解除されたトレース部は、ハートカムの頂面を摺動する。この際、トレース部は、カム形成部を変位前の状態に復帰させようとする弾性支持部の復元力を受けることになる。上述した本開示におけるラッチ装置の態様の一つによれば、ハートカムの頂面のうちで無理抜き操作時に前記トレース部が摺動する部位が、前記ハウジングの他端部側の部位ほど前記カム溝の底面に近づくように傾斜している。そのため、こうした傾斜が頂面に設けられていない場合に比べて、トレース部が摺動する際に必要となるカム形成部の変位量を小さくすることができる。その結果、トレース部の受ける復元力が小さくなることから、無理抜き操作時におけるガイドレバー及びラッチ本体の変形をさらに抑えることができる。
【００１５】
本開示におけるラッチ装置の態様の一つにおいて、前記弾性支持部は、前記無理抜き操作時に弾性変形して前記カム形成部を前記対向壁から遠ざかる方向に回動させるヒンジ部を有する。
【００１６】
本開示におけるラッチ装置の態様の一つによれば、カム形成部は、無理抜き操作時にヒンジ部を回動軸として回動することによって、対向壁から遠ざかる方向に変位することができる。
【００１７】
本開示におけるラッチ装置の態様の一つは、前記付勢ばねを第１の付勢ばねとするとき、前記弾性支持部が、前記カム形成部を前記対向壁に向けて付勢する第２の付勢ばねと、前記第２の付勢ばねの付勢力による前記カム形成部の変位を規制する規制部とを有する。
【００１８】
本開示におけるラッチ装置の態様の一つのように、第２の付勢ばねによってカム形成部が対向壁に向けて付勢されていても、その付勢力による変位が規制部によって規制されることから、弾性支持部は、対向壁から遠ざかる方向へ変位可能にカム形成部を弾性支持することが可能である。そして、第２の付勢ばねの付勢力に基づくカム形成部の変位がガイドレバーによって規制される場合に比べて、ガイドレバーがカム溝に案内される際にこれらガイドレバー及びカム形成部に作用する荷重を抑えることができる。
【図面の簡単な説明】
【００１９】
【図１】本開示におけるラッチ装置の内部構造を示す断面図であって、ラッチ本体がロック解除位置にある状態を上壁部の一部を切り欠いて示す図。
【図２】本実施形態におけるラッチ装置の内部構造の一部を示す断面図であって、ラッチ本体がロック解除位置にある状態を底壁部の一部を切り欠いて示す図。
【図３】本実施形態におけるラッチ装置の内部構造の一部を示す断面図であって、ラッチ本体がロック位置にある状態を上壁部の一部を切り欠いて示す図。
【図４】本実施形態におけるラッチ本体の斜視構造を示す斜視図であって、組立前の状態を示す図。
【図５】本実施形態におけるラッチ装置の断面構造を示す側断面図であって、ラッチ本体がロック解除位置にある状態を示す図。
【図６】本実施形態における第１ハートカムの形状を示す断面図であって、図５において線６で囲まれた部分を拡大して示す図。
【図７】本実施形態における第２ハートカムの形状を示す断面図であって、図５において線７で囲まれた部分の拡大図。
【図８】本実施形態におけるラッチ装置の断面構造を示す側断面図であって、ラッチ本体がロック位置にある状態を示す図。
【図９】本実施形態におけるラッチ装置の断面構造を示す側断面図であって、無理抜き操作時においてハートカムとトレース部との係合が解除された直後の状態を示す図。
【図１０】本実施形態におけるラッチ装置の内部構造を示す側断面図であって、無理抜き操作時においてハートカムの頂面をトレース部が摺動している状態を示す図。
【図１１】変形例におけるラッチ本体の斜視構造を示す斜視図であって、組立前のラッチ本体の斜視構造を示す図。
【図１２】変形例におけるラッチ本体の斜視構造を示す斜視図。
【発明を実施するための形態】
【００２０】
以下、本開示にかかるラッチ装置を具体化した一実施形態について図１〜図１０を参照して説明する。このラッチ装置は、プッシュ・プッシュ式のラッチ装置であって、キャビネット、オーディオ機器等の固定体、または固定体に設けられた扉、蓋、引き出し等の移動体に設けられる。
【００２１】
図１に示されるように、ラッチ装置１１を構成するハウジング１２は、一対の挟持片３０を有するラッチ本体１５をハウジング１２の軸方向に沿って移動可能に支持している。ラッチ装置１１にロックされるストライカＳは、基端部Ｓ１と、基端部Ｓ１よりも外側に張り出した拡径部Ｓ２とを備えている。ストライカＳは、ラッチ装置１１に押し込まれることによって、該ラッチ装置１１に対してロックされる。そして、ストライカＳは、再度ラッチ装置１１に押し込まれることによってラッチ装置１１に対するロックが解除される。
【００２２】
ハウジング１２は、ポリアセタール等の樹脂によって形成されている。ハウジング１２は、略直方体形状の筒状体であって、上壁部２０ａ、側壁部２０ｂ，２０ｃ、底壁部２０ｄ、及び背壁部２０ｅで構成されるハウジング基体２０の一端部に、側壁部２０ｂ、２０ｃの外側に張り出すように形成された枠部２１が一体的に形成されている。ハウジング１２には、枠部２１によって形成される矩形状の開口部２１ａを通じてストライカＳが出入りする。
【００２３】
ハウジング基体２０の側壁部２０ｂ，２０ｃには、該側壁部２０ｂ，２０ｃよりも側方へ張り出す爪部２２が形成されている。ラッチ装置１１は、例えば、固定体の取付部にハウジング１２が挿入された際に、取付部に形成された嵌合孔に爪部２２が嵌合することで固定体に取り付けられる。
【００２４】
また、ハウジング基体２０の背壁部２０ｅには、ハウジング１２の軸方向に沿って延びる棒状のばね受け部２３が形成されている。ばね受け部２３は、背壁部２０ｅのうちで側壁部２０ｃ側に偏倚した位置に形成されており、付勢ばね２４が外挿されている。付勢ばね２４は、コイルばねであって、ハウジング基体２０の背壁部２０ｅとラッチ本体１５との間に介在して、枠部２１の開口部２１ａから突出させるようにラッチ本体１５を付勢する。
【００２５】
また、ハウジング基体２０の背壁部２０ｅには、回転軸部２５を回転中心として揺動可能にガイドレバー２６が取り付けられている。このガイドレバー２６は、ステンレス等の線材からなり、回転軸部２５の両端から開口部２１ａへ向かって延びる一対のアーム部２７ａ，２７ｂによって、ラッチ本体１５を挟む形状に形成されている。一対のアーム部２７ａ，２７ｂの先端部には、互いの先端面が向き合うように屈曲するトレース部２８ａ，２８ｂが形成されている。
【００２６】
ラッチ本体１５は、ポリアセタール等の樹脂によって形成されている。ラッチ本体１５の端部には、ストライカＳが押し込まれる押込部２９を挟むように一対の挟持片３０が形成されている。一対の挟持片３０は、基端部に薄肉化されたヒンジ部３２を有し、ヒンジ部３２よりも肉厚の大径部３０ａを先端部に有している。また、一対の挟持片３０は、これらヒンジ部３２と大径部３０ａとの間に、ヒンジ部３２よりも肉厚であって且つ大径部３０ａよりも薄肉の中間部３０ｂを有している。一対の挟持片３０は、ラッチ本体１５がハウジング１２に押し込まれることで、枠部２１の内側面に圧接されて上記ヒンジ部３２を回転中心として互いの大径部３０ａが近づくように弾性変形する。
【００２７】
また、ラッチ本体１５は、ハウジング基体２０の上壁部２０ａに対向する第１カム形成部４０を有している。この第１カム形成部４０には、第１ハートカム４１を囲むように第１カム溝４２が形成されている。この第１カム溝４２には、ガイドレバー２６のトレース部２８ａが挿入される。トレース部２８ａは、ハウジング１２の軸方向に沿ってラッチ本体１５が移動する際に第１カム溝４２に案内される。
【００２８】
第１カム形成部４０には、第１ハートカム４１に対する挟持片３０側に第１カム溝４２の一部を形成する折返し壁４３，４４が形成されている。折返し壁４３には、第１ハートカム４１の係止部４５に進入する前のトレース部２８ａが当接する。折返し壁４４には、第１ハートカム４１の係止部４５から脱出した後のトレース部２８ａが当接する。また、これら折返し壁４３，４４の間であって第１ハートカム４１の係止部４５に対向する位置には、係止部４５から脱出するトレース部２８ａを折返し壁４４側へと案内する案内壁４６が形成されている。
【００２９】
また、図２に示されるように、ラッチ本体１５は、ハウジング基体２０の底壁部２０ｄに対向する第２カム形成部５０を有している。この第２カム形成部５０には、第２ハートカム５１を囲むように第２カム溝５２が形成されている。この第２カム溝５２には、ガイドレバー２６のトレース部２８ｂが挿入される。トレース部２８ｂは、ハウジング１２の軸方向に沿ってラッチ本体１５が移動する際に第２カム溝５２に案内される。
【００３０】
第２カム形成部５０には、第２ハートカム５１に対する挟持片３０側に第２カム溝５２の一部を形成する折返し壁５３，５４が形成されている。折返し壁５３には、第２ハートカム５１の係止部５５に進入する前のトレース部２８ｂが当接する。折返し壁５４には、第２ハートカム５１の係止部５５から脱出した後のトレース部２８ｂが当接する。また、この折返し壁５３，５４の間であって第２ハートカム５１の係止部５５に対向する位置には、係止部５５から脱出するトレース部２８ｂを折返し壁５４側へ案内する案内壁５６が形成されている。
【００３１】
また、図２に示されるように、ラッチ本体１５は、ばね受け部２３及び付勢ばね２４が挿入されるばね挿入部５８を有している。ハウジング基体２０の底壁部２０ｄには、ハウジング１２の軸方向に沿って延びるガイド孔５９が形成されており、上記ばね挿入部５８には、ガイド孔５９に嵌入されるガイド突起６０が形成されている。ラッチ本体１５は、このガイド孔５９にガイド突起６０が嵌合していることによって、ハウジング１２の軸方向における移動範囲が規定され、付勢ばね２４の付勢力を受けてもハウジング１２から抜き出されずにロック解除位置に保持される。
【００３２】
そして、ラッチ装置１１は、図３に示されるように、ストライカＳがハウジング１２に押し込まれると、ラッチ本体１５がロック解除位置からロック位置へと移動して一対の挟持片３０によってストライカＳが挟持される。
【００３３】
この一連の過程では、ラッチ本体１５の移動にともなってガイドレバー２６のトレース部２８ａ，２８ｂがカム溝４２，５２に案内されて、ハートカム４１，５１の係止部４５，５５に係合する。これにより、ラッチ本体１５は、付勢ばね２４の付勢力に抗してロック位置に保持される。そして、ストライカＳがハウジング１２内に再度押し込まれると、トレース部２８ａ，２８ｂは、案内壁４６，５６に案内されてハートカム４１，５１の係止部４５，５５との係合が解除される。そして、ラッチ本体１５は、付勢ばね２４の付勢力によってロック解除位置へと復帰する。
【００３４】
次に、本実施形態のラッチ本体１５について図４〜図６を参照してさらに詳しく説明する。図４に示されるように、ラッチ本体１５は、押込部２９及び一対の挟持片３０が基板６２の表面６２ａに一体的に形成されている。この基板６２の裏面６２ｂには、該裏面６２ｂに直交する方向に延びるばね挿入部５８及び連結板６３が一体的に形成されている。
【００３５】
連結板６３の先端部には、第１カム形成部４０と第２カム形成部５０とが連結されている。第１カム形成部４０は、弾性変形するヒンジ部６４を介して連結板６３の第１面６３ａに連結されている。このヒンジ部６４は、第１カム形成部４０を弾性支持する弾性支持部を構成する。第１カム形成部４０は、第１面６３ａに直交する方向に延びる略直方体形状をなしており、先端部に行くほど側壁４０ａ，４０ｂが幅狭に形成されている。第２カム形成部５０は、弾性変形するヒンジ部６５を介して連結板６３の第２面６３ｂに連結されている。このヒンジ部６５は、第２カム形成部５０を弾性支持する弾性支持部を構成する。第２カム形成部５０は、第２面６３ｂに直交する方向に延びる略直方体形状をなしており、先端部に行くほど側壁５０ａ，５０ｂが幅狭に形成されている。そして、第１カム形成部４０は、ヒンジ部６４を軸にして連結板６３の第１面６３ａに向けて折り畳まれ、第２カム形成部５０は、ヒンジ部６５を軸にして連結板６３の第２面６３ｂに向けて折り畳まれる。
【００３６】
また、連結板６３には、ばね挿入部５８とは反対側の側縁に、第１規制部７１及び第２規制部７２が形成されている。第１規制部７１は、第１面６３ａに立設されており、第１カム形成部４０が第１面６３ａに向けて折り畳まれる際に、第１カム形成部４０の側壁４０ａに形成された長穴状のガイド孔７３に先端部の突片が内嵌される。これにより、第１規制部７１は、ヒンジ部６４を回動軸にした第１カム形成部４０の回動を規制する。同様に、第２規制部７２は、第２面６３ｂに立設されており、第２カム形成部５０が第２面６３ｂに向けて折り畳まれる際に、第２カム形成部５０の側壁５０ａに形成された長穴状のガイド孔７４に先端部の突片が内嵌される。これにより、第２規制部７２は、ヒンジ部６５を回動軸にした第２カム形成部５０の回動を規制する。
【００３７】
また、連結板６３の基端部には、連結板６３を厚さ方向で貫通する挿通孔を有するばね支持部７５が形成されている。ばね支持部７５は、挿通孔に挿通される付勢ばね７６を支持する。付勢ばね７６は、コイルばねであって、第１カム形成部４０及び第２カム形成部５０を弾性支持する弾性支持部を構成する。この付勢ばね７６は、第１面６３ａに向かって折り畳まれた第１カム形成部４０と第２面６３ｂに向かって折り畳まれた第２カム形成部５０とを互いに離間させるように、これら第１及び第２カム形成部４０，５０を付勢する。なお、第１カム形成部４０の先端部には、ばね支持部７５との干渉を回避する逃げ部７７が形成されている。同様に、第２カム形成部５０の先端部にも、ばね支持部７５との干渉を回避する逃げ部が形成されている。
【００３８】
そして、図５に示されるように、第１カム形成部４０は、ヒンジ部６４の弾性力及び付勢ばね７６の付勢力に基づく回動が第１規制部７１によって規制され、ラッチ本体１５の移動時にトレース部２８ａが第１カム溝４２に案内される通常位置に弾性支持される。すなわち、第１カム形成部４０は、ハウジング基体２０の上壁部２０ａから遠ざかる方向に向けた回動が許容される状態で通常位置に弾性支持される。
【００３９】
同様に、第２カム形成部５０は、ヒンジ部６５の弾性力及び付勢ばね７６の付勢力に基づく回動が第２規制部７２によって規制され、ラッチ本体１５の移動時にトレース部２８ｂが第２カム溝５２に案内される通常位置に弾性支持される。すなわち、第２カム形成部５０は、ハウジング基体２０の底壁部２０ｄから遠ざかる方向に向けた回動が許容される状態で通常位置に弾性支持されている。
【００４０】
また、図６に示されるように、第１カム形成部４０において、係止部４５の係止面４５ａは、第１カム溝４２の底面に直交する仮想線８１に対して角度θ１だけ傾斜している。また、第１ハートカム４１の頂面のうち、係止面４５ａの連結部分よりも第１カム形成部４０の基端部側における頂面４１ａは、第１カム形成部４０の先端部側よりも基端部側の部位が第１カム溝４２の底面に近づくように傾斜している。
【００４１】
同様に、図７に示されるように、第２カム形成部５０において、係止部５５の係止面５５ａは、第２カム溝５２の底面に直交する仮想線８２に対して角度θ２だけ傾斜している。また第２ハートカム５１の頂面のうち、係止面５５ａとの連結部分よりも第２カム形成部５０の基端部側における頂面５１ａは、第２カム形成部５０の先端部側よりも基端部側の部位が第２カム溝５２の底面に近づくように傾斜している。
【００４２】
次に上述した構成のラッチ装置１１の動作態様、特にロック位置にあるラッチ本体１５から無理矢理ストライカＳが引き抜かれる無理抜き操作時における動作態様について図８〜図１０を参照して説明する。なお、以下では、第１及び第２カム形成部４０，５０が同様の動作態様をとるため、第１カム形成部４０について詳細に説明し、第２カム形成部５０についてはその詳細な説明を省略する。
【００４３】
図８に示されるように、ラッチ本体１５がロック位置にあるとき、ガイドレバー２６のトレース部２８ａは第１カム形成部４０の係止部４５に係合しており、無理抜き操作時には、ラッチ本体１５に対して力Ｆが作用する。この力Ｆは、ガイドレバー２６のトレース部２８ａと第１カム形成部４０の係止部４５との係合部分に作用する。
【００４４】
そして、ラッチ本体１５に作用する力Ｆが所定の大きさを超えると、図９に示されるように、ガイドレバー２６のトレース部２８ａが係止面４５ａを摺動し始めて、上記力Ｆの一部が、第１カム形成部４０を連結板６３に向けて押圧する力に変換される。すなわち、係止面４５ａは、上記力Ｆの一部を第１カム形成部４０を連結板６３に向けて押圧する力に変換する傾斜部として機能する。そして、第１カム形成部４０は、ヒンジ部６４を回動軸としてハウジング基体２０の上壁部２０ａから遠ざかる方向へ変位する。ラッチ本体１５が引き抜かれるにともない第１カム形成部４０の変位が大きくなると、やがて、ばね支持部７５が逃げ部７７に収容されるとともにトレース部２８ａが第１ハートカム４１の頂面４１ａに乗り上げる。これにより、ガイドレバー２６のトレース部２８ａと第１ハートカム４１の係止面４５ａとの係合が解除される。
【００４５】
その後、ラッチ本体１５は、図１０に示されるように、ヒンジ部６４の弾性力及び付勢ばね７６の付勢力に基づく復元力によって、第１ハートカム４１の頂面４１ａにトレース部２８ａを摺動させながら移動する。この際、ラッチ本体１５は、第１ハートカム４１の頂面４１ａがトレース部２８ａに押圧されることで、該頂面４１ａの形状に応じて第１カム形成部４０を変位させながら移動する。
【００４６】
ここで、第１ハートカム４１の頂面４１ａが第１カム溝４２の底面に対して傾斜していない場合、ヒンジ部６４を回動軸にして第１カム形成部４０が連結板６３に向かって変位すると、第１ハートカム４１の頂面４１ａは、第１カム形成部４０の基端部側の部位が係止部４５側の部位よりもハウジング基体２０の上壁部２０ａに近い位置に配置される。そのため、トレース部２８ａと係止部４５との係合が解除された後、さらなる第１カム形成部４０の変位が必要となる。その結果、第１カム形成部４０の変位量が大きくなることで、トレース部２８ａが受ける第１カム形成部４０の復元力が大きくなるばかりか、第１カム形成部４０を変位させるためのスペースがハウジング１２に必要となる。
【００４７】
これに対して、上記第１カム形成部４０には、第１ハートカム４１の頂面４１ａが第２カム溝５２の底面に対して傾斜していることから、第１ハートカム４１の頂面４１ａをトレース部２８ａが摺動する際に必要となる第１カム形成部４０の変位量を小さくすることができる。その結果、トレース部２８ａが受ける第１カム形成部４０の復元力が小さくなることで、トレース部２８ａ及び第１カム形成部４０の変形、すなわちガイドレバー２６及びラッチ本体１５の変形を抑えることができる。また、第１カム形成部４０を変位させるためのスペースをハウジング１２に設ける必要がなくなることから、ハウジング１２の小型化、ひいてはラッチ装置１１の小型化を図ることができる。
【００４８】
そして、ラッチ本体１５がさらに引き抜かれると、トレース部２８ａが第１ハートカム４１の頂面４１ａから第１カム溝４２の底面に降下し、第１カム形成部４０は、付勢ばね７６の付勢力及びヒンジ部６４の弾性力によって通常位置へと復帰する。そして、ラッチ本体１５は、挟持片３０がハウジング１２の外部に配置されることでストライカＳとの係合が解除されてロック解除位置へと移動する。
【００４９】
以上説明したように、上記実施形態のラッチ装置１１によれば、以下に列挙する効果を得ることができる。
（１）第１カム形成部４０が、ハウジング基体２０の上壁部２０ａに対して遠ざかる方向へ変位可能に弾性支持されていることから、無理抜き操作時に、トレース部２８ａ及び第１カム形成部４０に作用する荷重が軽減される。その結果、無理抜き操作時におけるガイドレバー２６及びラッチ本体１５の変形を抑えることができる。
【００５０】
（２）係止部４５の係止面４５ａが、仮想線８１に対して角度θ１だけ傾斜している。これにより、無理抜き操作時に係止部４５とトレース部２８ａとの係合部分に作用する力の一部が、第１カム形成部４０を上壁部２０ａから遠ざける方向へ押圧する力に変換される。そのため、こうした傾斜が係止部４５に形成されていない場合に比べて、無理抜き操作時に第１カム形成部４０が変位しやすくなり、無理抜き操作に必要とされる力を適度に小さくすることができる。その結果、無理抜き操作時におけるガイドレバー２６及びラッチ本体１５の変形をさらに抑えることができる。
【００５１】
（３）第１ハートカム４１の頂面４１ａは、第１カム形成部４０の先端部側よりも基端部側の部位が第１カム溝４２の底面に近づくように傾斜している。これにより、第１ハートカム４１の頂面４１ａをトレース部２８ａが摺動する際に必要となる第１カム形成部４０の変位量を小さくすることができる。その結果、トレース部２８ａが受ける第１カム形成部４０の復元力が小さくなることで、ガイドレバー２６及びラッチ本体１５の変形を抑えることができる。
【００５２】
（４）また、ハウジング１２の小型化、ひいてはラッチ装置１１の小型化を図ることができる。
（５）ラッチ本体１５のように、弾性変形するヒンジ部６４を介して連結板６３に第１カム形成部４０を連結することによって、無理抜き操作時に上壁部２０ａから遠ざかるように第１カム形成部４０を変位させることができる。
【００５３】
（６）第１カム形成部４０は、付勢ばね７６の付勢力に基づく変位が第１規制部７１によって規制されている。そのため、付勢ばね７６の付勢力に基づく変位がガイドレバー２６によって規制される場合に比べて、ガイドレバー２６と第１カム形成部４０との間に作用する荷重を抑えることができる。
【００５４】
（７）第１カム形成部４０には、ばね支持部７５との干渉を回避する逃げ部７７が形成されている。そのため、第１カム形成部４０から逃げ部７７が割愛された場合に比べて、連結板６３に向けた第１カム形成部４０の回動量を大きくとることができる。その結果、ハウジング１２の小型化、ひいてはラッチ装置１１の小型化を図ることができる。
【００５５】
（８）第１カム形成部４０は、付勢ばね７６によって先端部が付勢されている。これにより、付勢ばね７６が第１カム形成部４０の基端部側で付勢する場合に比べて、ヒンジ部６４に作用するモーメントが大きくなることから、第１カム形成部４０が通常位置に保持されやすくなる。その結果、無理抜き操作に必要な力が過度に小さくなることを抑えることができる。
【００５６】
なお、上記実施形態は、以下のように適宜変更して実施することもできる。
・上記実施形態のラッチ装置１１において、付勢ばね７６が割愛された構成であってもよい。こうした構成において第１及び第２カム形成部４０，５０は、弾性変形するヒンジ部６４，６５によって弾性支持されることになる。
【００５７】
・上記実施形態のラッチ装置１１において、第１及び第２規制部７１，７２が割愛されてもよい。この際、ヒンジ部６４，６５の弾性力及び付勢ばね７６の付勢力によるカム形成部４０，５０の変位は、ガイドレバー２６によって規制されることになる。
【００５８】
・上記実施形態の第１カム形成部４０は、無理抜き操作時にヒンジ部６４を回動軸として回動するように弾性支持されている。これに限らず、第１カム形成部４０は、例えば側壁４０ａ，４０ｂの各々と連結板６３とを弾性変形する弾性部で連結するとともに連結板６３から離れる方向に付勢ばねで付勢することによって、連結板６３に対して進退移動するように弾性支持されていてもよい。なお、第２カム形成部５０についても同様である。
【００５９】
・上記実施形態では、ハートカムの頂面のうちでトレース部が摺動する部位は、カム形成部の基端部側の部位ほどカム溝の底面に近づくように傾斜している。これに限らず、ハートカムの頂面のうちでトレース部が摺動する部位は、例えば、カム溝の底面に平行な面であってもよい。
【００６０】
・また、ハートカムの頂面には、無理抜き操作時に該頂面を摺動するトレース部を案内する案内溝が形成されていてもよい。
・上記実施形態において、係止部の係止面は、ストライカの引き抜かれる力がカム形成部を押圧する力に変換されるように、カム溝の底面に直交する仮想線に対して傾斜している。これに限らず、係止部の係止面は、カム溝の底面に直交する仮想線に対して傾斜する面を一部に有していてもよい。
【００６１】
・また、ストライカを引き抜こうとする力がカム形成部を押圧する力に変換されるようにガイドレバーのトレース部に傾斜が設けられていてもよい。
・図１１に示されるように、ラッチ本体１５は、弾性変形するヒンジ部８５，８６を介して、基板６２に第１及び第２カム形成部４０，５０が連結されていてもよい。
【００６２】
・また、第１及び第２カム形成部４０，５０のうち、一方が連結板６３の先端部に連結され、他方が基板６２に連結されていてもよい。
・また、ヒンジ部６４は、連結板６３と第１カム形成部４０の側壁４０ａ，４０ｂの一方とを連結するものであってもよい。同様に、ヒンジ部６５は、連結板６３と第２カム形成部５０の側壁５０ａ，５０ｂの一方とを連結するものであってもよい。
【００６３】
・図１２に示されるように、ラッチ本体１５は、一端部にヒンジ部３２を介して挟持片３０が一体的に形成された第１カム形成部４０と、一端部にヒンジ部３２を介して挟持片３０が一体的に形成された第２カム形成部５０とを有し、これら第１カム形成部４０と第２カム形成部５０とが弾性変形するヒンジ部８８によって連結される構成であってもよい。
【００６４】
・上記実施形態のラッチ装置は、２つのカム形成部と、該カム形成部を挟む一対のアーム部を備えるガイドレバーと有している。これに限らず、ラッチ装置は、１つのカム形成部と、１つのアーム部を備えるガイドレバーとを有する構成であってもよい。
【００６５】
・上記実施形態のラッチ装置１１は、ハウジング１２に挿入されるストライカＳを一対の挟持片３０で挟持することによって、ストライカＳをロックする。これに限らず、ラッチ装置は、ハウジングにストライカが挿入されることによって出没する係合爪を有し、この係合爪とストライカとが係合することによって、ストライカをロックする構成であってもよい。
【符号の説明】
【００６６】
Ｓ…ストライカ、Ｓ１…基端部、Ｓ２…拡径部、１１…ラッチ装置、１２…ハウジング、１５…ラッチ本体、２０…ハウジング基体、２０ａ…上壁部、２０ｂ，２０ｃ…側壁部、２０ｄ…底壁部、２０ｅ…背壁部、２１…枠部、２１ａ…開口部、２２…爪部、２３…ばね受け部、２４…付勢ばね、２５…回転軸部、２６…ガイドレバー、２７ａ…アーム部、２７ｂ…アーム部、２８ａ…トレース部、２８ｂ…トレース部、２９…押込部、３０…挟持片、３０ａ…大径部、３０ｂ…中間部、３２…ヒンジ部、４０…カム形成部、４０…第１カム形成部、４０ａ，４０ｂ…側壁、４１…第１ハートカム、４１ａ…頂面、４２…第１カム溝、４３，４４…折返し壁、４５…係止部、４５ａ…係止面、４６…案内壁、５０…第２カム形成部、５０ａ，５０ｂ…側壁、５１…第２ハートカム、５１ａ…頂面、５２…第２カム溝、５３，５４…折返し壁、５５…係止部、５５ａ…係止面、５６…案内壁、５８…ばね挿入部、５９…ガイド孔、６０…ガイド突起、６２…基板、６２ａ…表面、６２ｂ…裏面、６３…連結板、６３ａ…第１面、６３ｂ…第２面、６４，６５…ヒンジ部、７１…第１規制部、７２…第２規制部、７３，７４…ガイド孔、７５…ばね支持部、７６…付勢ばね、７７，７８…逃げ部、８１，８２…仮想線、８５，８６，８８…ヒンジ部。
【図１】
2013194412.tif 000003
【図２】
2013194412.tif 000004
【図３】
2013194412.tif 000005
【図４】
2013194412.tif 000006
【図５】
2013194412.tif 000007
【図６】
2013194412.tif 000008
【図７】
2013194412.tif 000009
【図８】
2013194412.tif 000010
【図９】
2013194412.tif 000011
【図１０】
2013194412.tif 000012
【図１１】
2013194412.tif 000013
【図１２】
2013194412.tif 000014